(57)【要約】【課題】  収納機構の脚を収納位置に維持することができる技術を提供する。【解決手段】  ゴルフバッグは、伸張可能なバッグスタンドと保持システムとを備える。伸張可能なバッグスタンドは、細長い本体に連結される第１の端部と、複数の脚に取り付けられる第２の端部と、を有する収納機構を含む。保持システムは、細長い本体の第１の部分に取り付けられる第１の端部と、細長い本体の第２の部分に取り付けられる第２の端部とを有するバイアス部と、バイアス部に係合する第１の端部と、収納機構に係合するように構成される第２の端部とを有する保持ストラップとを含む。保持ストラップは、保持ストラップが複数の脚を実質的に収納位置に配置し、かつ、維持するように、バイアス部に負荷される外力に応答して、収納機構を収納するように構成される。【選択図】  図１１
2013039376.tif 000002
【特許請求の範囲】
【請求項１】
開放されている上端部と、閉塞されている底端部とを有する細長い本体と、
細長い本体に連結される第１の端部と、複数の脚に取り付けられる第２の端部と、を有する収納機構を含むバッグスタンドであって、複数の脚のそれぞれは、複数の脚を展開位置と収納位置との間において位置決めするために、細長い本体に旋回自在に取り付けられた一端を有する伸張可能なバッグスタンドと、
細長い本体の第１の部分に取り付けられる第１の端部と、細長い本体の第２の部分に取り付けられる第２の端部とを有するバイアス部と、バイアス部に係合する第１の端部と、収納機構に係合するように構成される第２の端部とを有する保持ストラップとを含み、保持ストラップは、保持ストラップが複数の脚を実質的に収納位置に配置し、かつ、維持するように、バイアス部に負荷される外力に応答して、収納機構を収納するように構成される、保持システムと、を備える、ゴルフバッグ。
【請求項２】
保持ストラップの第１の端部は、実質的に垂直な向きで、バイアス部に係合している、請求項１に記載のゴルフバッグ。
【請求項３】
保持ストラップの第２の端部は、収納機構に巻かれている、請求項２に記載のゴルフバッグ。
【請求項４】
保持ストラップの第１の端部は、バイアス部と一体である、請求項１に記載のゴルフバッグ。
【請求項５】
保持ストラップの第１の端部は、バイアス部に縫い付けられている、請求項１に記載のゴルフバッグ。
【請求項６】
細長い本体中に画定されるチャネル部をさらに備え、保持ストラップは、チャネル部に受容されるように構成されている、請求項１に記載のゴルフバッグ。
【請求項７】
チャネル部は、バイアス部に負荷される外力の方向に実質的に平行な第１の軸線を画定し、バイアス部に負荷される外力によって保持ストラップを実質的に第１の軸線に沿って移動させる、請求項６に記載のゴルフバッグ。
【請求項８】
保持ストラップの一部は、チャネル部に受容されるように構成されており、バイアス部に外力を負荷することによって、保持ストラップは、収納機構を収納し、複数の脚を収納位置に折り畳む、請求項１に記載のゴルフバッグ。
【請求項９】
外力がバイアス部に負荷されると、保持ストラップは、複数の脚を収納位置に維持する、請求項１に記載のゴルフバッグ。
【請求項１０】
外力によって、保持ストラップは、収納機構を収納し、複数の脚を収納位置に収納するように、保持ストラップは、細長い本体に対してスライドする、請求項１に記載のゴルフバッグ。
【請求項１１】
保持ストラップは、バンド、ストラップ、コード又はロープの少なくとも１つを含む、請求項１に記載のゴルフバッグ。
【請求項１２】
開放されている上端部と、閉塞されている底端部とを有する細長い本体と、
細長い本体に連結される第１の端部と、複数の脚に取り付けられる第２の端部とを有する収納機構を含み、複数の脚のそれぞれは、複数の脚を、展開位置と収納位置との間において位置決めするために、細長い本体に旋回自在に取り付けられる一端を有する伸張可能なバッグスタンドと、
保持システムであって、
細長い本体の第１の部分に取り付けられる第１の端部と、細長い本体の第２の部分に取り付けられる第２の端部とを有するバイアス部と、
細長い本体の第３の部分に取り付けられる第１の端部と、細長い本体の第４の部分に取り付けられる第２の端部とを有するストラップ部と、
バイアス部に係合する第１の端部と、収納機構に係合するように構成される第２の端部とを有する保持ストラップであって、保持ストラップは、複数の脚を実質的に収納位置に配置し、かつ、維持するように、バイアス部に負荷される外力に応答して、収納機構を収納するように構成される保持ストラップと、
を含む、保持システムと、
を含む、ゴルフバッグ。
【請求項１３】
細長い本体によって画定されるチャネル部をさらに備え、保持ストラップは、チャネル部に受容されるように構成される、請求項１２に記載のゴルフバッグ。
【請求項１４】
収納機構は、保持ストラップの第２の端部に係合するバネワイヤを備える、請求項１２に記載のゴルフバッグ。
【請求項１５】
保持ストラップの第２の端部は、バネワイヤに巻かれるように構成される環状の構成を画定する、請求項１４に記載のゴルフバッグ。
【請求項１６】
保持ストラップの第１の端部は、実質的に垂直な配置でバイアス部に係合する、請求項１２に記載のゴルフバッグ。
【請求項１７】
開放されている上端部と、閉塞されている底端部とを有する細長い本体と、
細長い本体に連結される第１の端部と、複数の脚に取り付けられる第２の端部とを有する収納機構を含むバッグスタンドであって、収納機構が収納される場合、複数の脚のそれぞれは、複数の脚を展開位置と収納位置との間において位置決めするために、細長い本体に旋回自在に取り付けられる一端を有する伸張可能なバッグスタンドと、
収納機構に係合する保持ストラップに係合するバイアス部を含む保持システムと、を備えるゴルフバッグを提供するステップと、
複数の脚が地面において展開位置となるように、細長い本体を構成するステップと、
バイアス部を介して、保持ストラップに負荷される外力に応答して、収納機構が複数の脚を収納位置に収納することを可能にするステップと、
を含む、ゴルフバッグを製造する方法。
【請求項１８】
細長い本体に沿ってチャネル部を形成するステップをさらに備える、請求項１７に記載の方法。
【請求項１９】
保持ストラップの一部をチャネル部内に挿入するステップをさらに備える、請求項１８に記載の方法。
【請求項２０】
保持ストラップに係合するバイアス部を設けるステップは、バイアス部を保持ストラップに垂直な向きで係合するステップを含む、請求項１８に記載の方法。
【発明の詳細な説明】
【技術分野】
【０００１】
本開示は、ゴルフバッグ及びそのようなゴルフバッグ、特に、保持システムを有する伸張可能なバッグスタンドを備えたキャリーゴルフバッグを製造するための方法に関する。
【背景技術】
【０００２】
多くのゴルフバッグは、閉じた底端部と、ゴルフクラブがそこを通ってゴルフバッグに挿入され、かつ、そこを通ってゴルフバッグから取り出される開放されている上端部とを有する略円筒状の構成を有する管状の布状又は革の容器の形態である。ゴルフバッグは、種々の使用意図によりよく合致するように、種々のサイズ及び材料で製造されるが、ゴルフバッグは、慣例的に２つの基本的な種類に分類される。第１の種類のゴルフバッグは、比較的大きくて重いため、個人が運ぶのにはあまり適さない(例えば、カートバッグ)。その一方で、第２の種類のゴルフクラブバッグは、全般的に小さくてより軽いため、プレイ中に個人が運ぶように設計されている。
【０００３】
第２の種類のゴルフバッグは、通常、「キャリーバッグ」と呼ばれ、ゴルフバッグを持ち上げ、かつ、運ぶのに使用することができるキャリーストラップを使用して個人が運ぶ。これらのタイプのキャリーバッグの多くは、個人がゴルフバッグを地面に置く毎に、ゴルフバッグを、実質的に直立位置に支持するために考案された伸張可能なバッグスタンドを有する。ゴルフバッグの側部の取り外し可能なアタッチメント用に考案された、広く使用され、かつ周知の伸張可能なゴルフバッグスタンドが、米国特許第４，８３４，２３６号明細書に開示されている。米国特許第４，８３４，２３６号明細書では、一端がゴルフバッグの一部分に旋回自在に取り付けられ、他端が収納機構に係合している一対の脚を有するゴルフバッグスタンドについて説明されている。収納機構は、ゴルフバッグが個人によって持ち上げられ、かつ、運ばれる毎に、収納機構を引き込み、一対の脚を展開位置から収納位置に折り畳むトグル機構によって動作するように構成されている。
【発明の概要】
【発明が解決しようとする課題】
【０００４】
しかしながら、そのようなゴルフバッグ用の収納機構は、繰り返しの使用後に摩耗するおそれがあり、脚を収納位置に効果的に折り畳む能力が失われる。同様に、摩耗した収納機構は、ゴルフバッグが運ばれる毎に、一対の脚を収納位置に維持する能力を失うおそれがある。その理由は、一対の脚を収納位置に保持する収納機構の引張強さが失われるため、脚の１つ又は両方が垂下する可能性があるからである。本出願は、収納機構の脚を収納位置に維持することができる技術を提供する。
【課題を解決するための手段】
【０００５】
本明細書で開示される技術は、ゴルフバッグで実現される。ゴルフバッグは、細長い本体と伸張可能なバッグスタンドと保持システムとを備える。細長い本体は、開放されている上端部と、閉塞されている底端部とを有する。伸張可能なバッグスタンドは、細長い本体に連結される第１の端部と、複数の脚に取り付けられる第２の端部と、を有する収納機構を含む。複数の脚のそれぞれは、複数の脚を展開位置と収納位置との間において位置決めするために、細長い本体に旋回自在に取り付けられる一端を有する。保持システムは、細長い本体の第１の部分に取り付けられる第１の端部と、細長い本体の第２の部分に取り付けられる第２の端部とを有するバイアス部と、バイアス部に係合する第１の端部と、収納機構に係合するように構成される第２の端部とを有する保持ストラップとを含む。保持ストラップは、保持ストラップが複数の脚を実質的に収納位置に配置し、かつ、維持するように、バイアス部に負荷される外力に応答して、収納機構を収納するように構成される。
【図面の簡単な説明】
【０００６】
【図１】展開位置にある伸張可能なバッグスタンドを備える保持システムを有するゴルフバッグの一実施形態の斜視図である。
【図２】収納位置にある伸張可能なバッグスタンドを備える図１の保持システムを有するゴルフバッグの実施形態を示す側面図である。
【図３】展開位置にある伸張可能なバッグスタンドを備える保持システムを有するゴルフバッグの別の実施形態の側面図である。
【図４】収納位置にある伸張可能なバッグスタンドを備える図３の保持システムを有するゴルフバッグの実施形態を示す側面図である。
【図５】展開位置にある伸張可能なバッグスタンドを備える図３及び図４の保持システムを有するゴルフバッグの実施形態を示す正面図である。
【図６】展開位置にある伸張可能なバッグスタンドを備える保持システムを有するゴルフバッグの別の実施形態の側面図である。
【図７】展開位置にある伸張可能なバッグスタンドを備える図６の保持システムを有するゴルフバッグの実施形態を示す正面図である。
【図８】保持システムを備えるゴルフバッグを使用する１つの方法を示すフローチャートである。
【図９】保持システムを備えるゴルフバッグを製造するための１つの方法を示すフローチャートである。
【図１０】保持システムのチャネル部を示す図５の線１０−１０に沿ったゴルフバッグの断面図である。
【図１１】展開位置にある伸張可能なバッグスタンドを備える保持システムを有するゴルフバッグの別の実施形態の斜視図である。
【図１２】収納位置にある伸張可能なバッグスタンドを備える図１１の保持システムを有するゴルフバッグの実施形態の側面図である。
【図１３】展開位置にある伸張可能なバッグスタンドを備える保持システムを有するゴルフバッグの別の実施形態の側面図である。
【図１４】展開位置にある伸張可能なバッグスタンドを備える図１３の保持システムを有するゴルフバッグの実施形態の側面図である。
【図１５】展開位置にある伸張可能なバッグスタンドを備える保持システムを有するゴルフバッグの実施形態を示す正面図である。
【図１６】保持システムのチャネル部を示す図１５の線１６−１６に沿ったゴルフバッグの断面図である。
【図１７】展開位置にある伸張可能なバッグスタンドを備える保持システムを備えるゴルフバッグの実施形態を示す背面図である。
【図１８】保持システムを備えるゴルフバッグを製造するための１つの方法を示すフローチャートである。
【図１９】バイアス部を備える保持ストラップの係合及び動作を示す簡略図である。
【発明を実施するための形態】
【０００７】
図面において、対応する参照符号は、対応する要素を示す。図に使用される表題は、特許請求の範囲を限定するものとみなされるべきではない。
【０００８】
本明細書中に記載されるように、伸張可能なバッグスタンドを備えるゴルフバッグは、保持システムと、個人がゴルフバッグを持ち上げて運ぶ際に、一対の展開した脚を収納位置に自動的に折り畳み、脚を収納位置に維持するように構成されるような保持システムの製造方法とを含む。
【０００９】
図面を参照すると、図１及び図２にゴルフバッグの一実施形態が示され、全体として１００で示される。概して、ゴルフバッグ１００は、開放されている上端部１１５及び閉塞されている底端部１１６を画定する略管状の細長い本体１０２を含む。図１に示すように、管状の細長い本体１０２は、個人がゴルフバッグを地面３００に置くと、管状の細長い本体１０２を実質的に直立位置に支持するための伸張可能なバッグスタンド１０４を含む。伸張可能なバッグスタンド１０４は、複数の脚１１０に連結される上端部１５２と、管状の細長い本体１０２に連結される下端部１５４とを有する収納機構１０８を含む。脚１１０のそれぞれは、脚１１０を展開位置と収納位置との間において位置決めするための、管状の細長い本体１０２に旋回自在に取り付けられる一端１４４を含む。加えて、保持システム１０６は、管状の細長い本体１０２の第１の部分に取り付けられる第１の端部１１８と、管状の細長い本体１０２の第２の部分に取り付けられる第２の端部１２０とを有するバイアス部１１２を含む。バイアス部１１２は、収納機構１０８が管状の細長い本体１０２とバイアス部１１２との間に配置されるように配置されていてもよい。図２に示すように、外力１５０がバイアス部１１２に負荷されると、バイアス部１１２は、脚１１０を収納位置に配置し、かつ、維持するように、収納機構１０８を引き込む。バイアス部１１２は、バンド、ストラップ、コード又はロープであってもよい。
【００１０】
本明細書では、用語「展開位置」は、脚１１０が地面３００に接するように個人がゴルフバッグ１００を置くと、管状の細長い本体１０２から実質的に外方に展開される脚１１０の位置を意味するものとする。一方で、用語「収納位置」は、個人がゴルフバッグ１００を持ち上げると脚１１０が地面３００に接しなくなるように、実質的に管状の細長い本体１０２に向かって内方に引き込まれる脚１１０の位置を意味するものとする。
【００１１】
伸張可能なバッグスタンド１０４のための収納機構１０８は、管状の細長い本体１０２が展開位置に配置されている場合に、脚１１０を外方に付勢し、その後、管状の細長い本体１０２が地面３００から持ち上げられると、脚１１０を内方に収納位置まで引き込む、弾性金属材料で作成されているバネワイヤ１０８であってもよい。バネワイヤ１０８は、単一ワイヤ構成又は複数のワイヤであってもよい。代替的に、バネワイヤ１０８は、展開位置又は収納位置のいずれかにおいて、伸張可能なバッグスタンド１０４が脚１１０に繰り返しバイアスをかけることができるプラスチック又は金属複合材などの任意の他の弾性材料で作成してもよい。
【００１２】
図１に示すように、バネワイヤ１０８の１つの例は、一対の脚１３４及び１３６のそれぞれに係合する第１のワイヤ１３８及び第２のワイヤ１４０であってもよい。具体的には、第１のワイヤ１３８及び第２のワイヤ１４０はそれぞれ、脚１３４及び１３６のそれぞれに係合する第１の脚端部１５２と、管状の細長い本体１０２に作動的に係合する第２の脚端部１５４とを有してもよい。特に、各第２の脚端部１５４は、伸張可能なバッグスタンド１０４によって脚１１０を展開位置又は収納位置のいずれかにするための、ゴルフバッグ１００の一部分を形成するトグル機構(図示せず)に作動的に係合してもよい。
【００１３】
さらに示されるように、一対の脚１３４及び１３６は、それぞれ、管状の細長い本体１０２を、地面３００に実質的に直立位置に支持するように構成される一端１４６と、管状の細長い本体１０２の開放されている上端部１１５の近傍に取り付けられるブラケット１４８に旋回自在に係合してもよい他端１４４とを画定する。ブラケット１４８への各端部１４４の旋回係合は、脚１１０の二次元面に沿った移動を可能にするピンソケット機構、又は、脚１１０の三次元面に沿った移動を可能にするボールソケット機構であってもよい。一実施形態において、伸張可能なバッグスタンド１０４の構造及び動作は、その全体が参照によって組み込まれる米国特許第４，８３４，２３５号明細書に開示されている伸張可能なバッグスタンドであってもよい。しかしながら、本明細書中に記載される装置、製造物品及び方法はこの点において制限されるものではない。
【００１４】
一構成において、バイアス部１１２の第２の端部１２０は、バイアス部１１２が管状の細長い本体１０２に対して固定点１３０を設けるように、管状の細長い本体１０２に係合してもよい。管状の細長い本体１０２を地面３００から持ち上げること等によって、個人が外力１５０を負荷すると、ゴルフバッグ１００の重量は、バイアス部１１２に張力を生成し、それによって、バイアス部１１２は、固定点１３０に対してスライドし、バネワイヤ１０８を引き込む。長手方向の軸線７０２(図２)が面７０６(図１)に実質的に平行になるように、ゴルフバッグ１００が個人によって運ばれると、管状の細長い本体１０２に作用する重力は、バイアス部１１２に一定の張力を生成し、管状の細長い本体１０２が地面３００に置かれることによって張力が開放されるまで、バネワイヤ１０８を、実質的に収納位置に維持する。この構成において、保持システム１０６では、保持システム１０６がなかった場合に利用可能であったはずの力よりも大きな力を供給するために、管状の細長い本体１０２の重量を力として、個人を旋回点として、バイアス部１１２をバネワイヤ１０８を収納位置に引き込むための引張り手段として、必要とする。管状の細長い本体１０２が地面３００に置かれると、外力１５０は負荷されなくなり、バイアス部１１２は緩み、バネワイヤ１０８及び脚１１０は展開位置をとることが可能となる。
【００１５】
図３、４、５及び１０を参照すると、２００で示されるゴルフバッグの別の実施形態は、ゴルフバッグ１００に実質的に類似する。特に、管状の細長い本体２０２が個人によって持ち上げられるか、あるいは運ばれると、バイアス部２１２を受容するように構成され、バイアス部２１２を管状の細長い本体２０２に対して案内するように機能するチャネル部２２２を、管状の細長い本体２０２に沿って設けてもよい。チャネル部２２２は、外力１５０がバイアス部２１２に負荷されると、チャネル部２２２を通じて、バイアス部２１２に負荷される張力を伝達する手段としても機能する。代替的に、ゴルフバッグ２００は、管状の細長い本体２０２の内部又は外部のいずれかに、チャネル部２２２と類似する様式でバイアス部２１２も案内するリング、フック及び／又はバックル機構を含んでもよい。チャネル部２２２は、織物、ウェビング又は硬質プラスチック材料で作成されていてもよく、管状の細長い本体２０２に対して、内部又は外部に縫い付けられるか、そうでなければ取り付けられるかのいずれかである。上記と同じ案内機能を提供するために、チャネル部２２２を、ゴルフバッグ１００の管状の細長い本体１０２に設けてもよい。
【００１６】
ゴルフバッグ２００は、個人が管状の細長い本体２０２を持ち上げて運ぶことを可能にするためのキャリーストラップ２２４も含んでよい。キャリーストラップ２２４は、個人が、管状の細長い本体２０２の長手方向の軸線７０４が地面３００の面７００に実質的に平行になるように、キャリーストラップ２２４を、地面３００から持ち上げることによって、外力１５０を第１のバイアス部２１２に負荷することを可能にする第１のバイアス部２１２に係合する管２３２を画定する。第１のバイアス部２１２は、細長い管状体２０２の開放されている上端部２１５の近傍に取り付けられる第１の端部を有してもよい。その一方で、バイアス部２１２の第２の端部は、上記と類似する様式で細長い管状体２０２沿いの固定点２３０に取り付けられる。代替的に、ゴルフバッグ２００は、細長い管状体２０２の開放されている上端部２１４の近傍にも取り付けられる第１の端部を有する一方で、ストラップ部２１４の第２の端部は、管状の細長い本体２０２の下部に沿って固定的に取り付けられる、ストラップ部２１４に係合する管２３４を画定する第２のキャリーストラップ２２６を含んでもよい。一実施形態において、第１のキャリーストラップ２２４のみがバイアス部２１２に係合し、バイアス部２１２を介して張力を負荷するよう機能するように、第２のキャリーストラップ２２６は、バイアス部２１２に係合されない。
【００１７】
図６及び図７を参照すると、以下に記載されるような伸張可能なバッグスタンド３０４に対するバイアス部の構成及び動作以外は、３００で示されるゴルフバッグの別の実施形態は、ゴルフバッグ１００及び２００に類似する。保持システム３０６は、第１のバイアス部３１２及び第２のバイアス部３１４を含んでもよい。各部分３１２及び３１４は、収納機構３０８の第１のワイヤ３３７及び第２のワイヤ３３８それぞれに係合するか、あるいは、巻かれる第１の端部３１６を有する。加えて、第１のバイアス部３１２及び第２のバイアス部３１４は、それぞれ管状の細長い本体３０２の開放されている上端部３１５の近傍に取り付けられる第２の端部３１８を有する。キャリーストラップ３２４及び３２６に外力１５０(図２)を負荷すると、各バイアス部３１２及び３１４に張力を発生し、収納機構３０８を引き込み、第１の脚３３４及び第２の脚３３６を展開位置から収納位置に折り畳むように、第１のキャリーストラップ３２４は、第１のバイアス部３１２に係合してもよく、第２のストラップ３２６は、第２のバイアス部３１４に係合してもよい。一実施形態において、第１のワイヤ３３７及び第２のワイヤ３３８はそれぞれ、脚３３４及び３３６のそれぞれに係合する第１の脚端部３５２と、第１の脚３３４及び第２の脚３３６を、展開位置と収納位置との間において位置決めするために、管状の細長い本体３０２に作動的に係合する第２の脚端部３５４とを有してもよい。加えて、ゴルフバッグ３００は、第１のバイアス部３１２及び第２のバイアス部３１４それぞれを、受容及び案内するように構成される第１のチャネル部３２２及び第２のチャネル部３２３を含んでもよい。加えて、コネクタ３４２によって第１のワイヤ３３６を、第２のワイヤ３３８に係合してもよい。
【００１８】
ゴルフバッグの実施形態１００、２００及び３００を参照すると、これら実施形態の保持システム、特に、バイアス部１１２、２１２及び３１２は、複数の脚１１０、２１０及び３１０に係合しないが、作動中、収納機構１０８、２０８及び３０８、例えばバネワイヤのみに係合する。
【００１９】
図８を参照すると、フローチャートは、展開位置から収納位置にある実施形態１００、２００又は３００のゴルフバッグを持ち上げる、又は使用するための１つの方法を示す。ブロック１０００では、保持システム１０６、２０６又は３０６を備える伸張可能なバッグスタンド１０４、２０４又は３０４を有するゴルフバッグ１００、２００、又は３００が提供される。ブロック１００２では、管状の細長い本体１０２、２０２又は３０２が、脚１１０、２１０又は３１０が地面３００において展開位置をとるように構成される。ブロック１００４では、１つ以上のバイアス部１１２、２１２、２１４、３１２及び／又は３１４によって、収納機構１０８、２０８又は３０８が１つ以上の脚１１０、２１０又は３１０を引き込むように、外力１５０を１つ以上のバイアス部１１２、２１２、２１４、３１２及び／又は３１４に負荷することを可能にする。ブロック１００６に示すように、１つ以上のバイアス部１１２、２１２、２１４、３１２及び／又は３１４に対する外力１５０を維持し、それによって、複数の脚１１０、２１０又は３１０が収納位置から動くことを防止してもよい。最後に、ブロック１００８では、１つ以上の脚１１０、２１０又は３１０が展開位置に配置されるように、１つ以上のバイアス部１１２、２１２、２１４、３１２及び／又は３１４に負荷される外力１５０を終了させてもよい。
【００２０】
図９を参照すると、ゴルフバッグ１００、２００及び３００を製造するための方法の１つを示すフローチャートが示される。ブロック２０００では、ゴルフバッグ１００、２００及び３００に、収納機構１０８、２０８及び３０８を有する伸張可能なバッグスタンド１０４、２０４及び３０４が設けられる。ブロック２００２では、１つ以上のバイアス部１１２、２１２及び／又は３１２が、管状の細長い本体２０２及び３０２に取り付けられる。ブロック２００４では、１つ以上のチャネル部２２２が、その後、管状の細長い本体２０２及び３０２に沿って形成される。ブロック２００６では、キャリーストラップ２２４、２２６、３２４及び３２６がバイアス部２１２及び３１２のそれぞれに取り付けられる。
【００２１】
図８及び図９に動作の特定の順序が示されているが、これら動作を他の時間的順序で実施してもよい。例えば、図８又は図９のいずれかにおいて実施してもよい２つ以上の動作を連続的に、同時に、又は一斉に実施してもよい。図８及び図９では、特定の数のブロックを示すが、図８及び図９の工程では、１つ以上のブロックを実施しなくてもよい。
【００２２】
図１１及び図１２を参照すると、４００で示されるゴルフバッグの別の実施形態は、ゴルフバッグ１００、２００及び３００の実施形態に実質的に類似する。概して、ゴルフバッグ４００は、開放されている上端部４１５と、閉塞されている底端部４１６とを画定する略管状の細長い本体４０２を含む。図１１に示すように、管状の細長い本体４０２は、個人がゴルフバッグを地面３００に置くと、管状の細長い本体４０２を、実質的に直立位置に支持するための伸張可能なバッグスタンド４０４も含む。伸張可能なバッグスタンド４０４は、複数の脚４１０に連結される上端部４５２と、管状の細長い本体４０２に連結される下端部４５４とを有する収納機構４０８を含む。複数の脚４１０のそれぞれは、脚４１０を展開位置と収納位置との間において位置決めするための、管状の細長い本体４０２に旋回自在に取り付けられる一端４４４を含む。保持システム４０６は、管状の細長い本体４０２の第１の部分に取り付けられるか、一体化される第１の端部４１８と、細長い管状体４０２の第２の部分に固定される第２の端部４３０とを有するバイアス部４１２を含む。いくつかの実施形態においては、管状の細長い本体４０２の第１の部分は、ゴルフバッグ４００の開放されている上端部４１５の近傍にあるか、それに隣接してもよい。その一方で、管状の細長い本体４０２の第２の部分は、ゴルフバッグ４００の閉塞されている底端部４１６の近傍にあるか、それに隣接してもよい。図１９を参照すると、バイアス部４１２の下部分４８０は、バイアス部４１２から実質的に垂直な角度で延びる保持ストラップ４１１の第１の端部４１９に一体化されるか、取り付けられる(縫い付けられる)かであってもよい。さらに示されるように、保持ストラップ４１１は、収納機構４０８に巻かれるように構成される第２の端部４２０を画定する保持ストラップ４１１を備える細長い管状体４０２によって画定されるチャネル部４２２内に受容されるように構成されている。図１２を参照すると、以下により詳細に記載されるように、外力４５０がバイアス部４１２に負荷されると、保持ストラップ４１１が脚４１０を収納位置に配置し、かつ、維持するように、保持ストラップ４１１の第２の端部４２０によって収納機構４０８が引き込まれる。いくつかの実施形態では、バイアス部４１２及び保持ストラップ４１１は、バンド、ストラップ、コード、ロープ又はその組み合わせであってもよい。
【００２３】
上に記載される実施形態と同様に、収納機構４０８は、管状の細長い本体４０２が展開位置に配置されると、脚４１０を外方に付勢し、その後、管状の細長い本体４０２が地面３００から持ち上げられると、脚４１０を内方に収納位置まで引き込む、弾性金属材料で作成されるバネワイヤ４０８であってもよい。バネワイヤ４０８の１つの例は、それぞれ一対の脚４３４及び４３６に係合する第１のワイヤ４３８及び第２のワイヤ４４０であってもよい。特に、第１バネワイヤ４３８及び第２のバネワイヤ４４０のそれぞれは、脚４３４及び４３６のそれぞれに係合する第１の脚端部４５２と、管状の細長い本体４０２に作動的に係合する第２の脚端部４５４とを有してもよい。各第２の脚端部４５４は、ゴルフバッグ４００の伸張可能なバッグスタンド４０４によって、脚４１０の展開位置又は収納位置のいずれかにするための一部分を形成するトグル機構(図示せず)に、作動的に係合してもよい。
【００２４】
さらに示されるように、一対の脚４３４及び４３６はそれぞれ、管状の細長い本体４０２を、地面３００において実質的に直立位置に支持するように構成された第１の端部４４６と、管状の細長い本体４０２の開いた上端部４１５の近傍に取り付けられたブラケット４４８に旋回自在に係合してもよい第２の端部４４４とを画定する。ゴルフバッグ１００の実施形態と同様に、ゴルフバッグ４００のブラケット４４８への各第２の端部４４４の旋回係合は、脚４１０の二次元面に沿った移動を可能にするピンソケット機構、又は、脚４１０の三次元面に沿った移動を可能にするボールソケット機構であってもよい。
【００２５】
図１２及び図１９を参照すると、個人が、管状の細長い本体４０２を地面３００から持ち上げること等によって、外力４５０を負荷すると、ゴルフバッグ４００の重量によってバイアス部４１２に張力が生成され、それによって保持ストラップ４１１が管状の細長い本体４０２に対してスライドし、バネワイヤ４０８を引き込む。特に、バイアス部４１２によって保持ストラップ４１１に負荷される張力と、バイアス部４１２に対する保持ストラップ４１１の垂直な向きとによって、保持ストラップ４１１が、チャネル部４２２の向きに実質的に平行する軸線７１４に沿って実質的に移動する。細長い管状体４０２が、長手方向の軸線７０８(図１２)に沿って、実質的に一直線に並ぶように、個人によってゴルフバッグ４００が運ばれると、管状の細長い本体４０２に作用する重力によって、バイアス部４１２により保持ストラップ４１１に一定の張力が生成され、管状の細長い本体４０２を地面３００に置くことによって張力が開放されるまで、バネワイヤ４０８を実質的に収納位置に維持する。この構成において、保持システム４０６は、保持システム４０６、特にバイアス部４１２及び保持ストラップ４１１がなかった場合に利用可能であったはずの力よりも大きな力を供給するために、管状の細長い本体４０２の重量を力として、個人を旋回点として、及び保持ストラップ４１１に対するバイアス部４１２の垂直配置を、バネワイヤ４０８を収納位置に引き込むための引張り手段として、必要とする。換言すると、バイアス部４１２に対する保持ストラップ４１１の垂直係合によって、保持ストラップ４１１が、軸線７１４から実質的にずれた方向に移動したとすると生じるおそれのある、保持ストラップ４１１のチャネル部４２２の縁端に対する絡まり、捕捉又は摩擦のないように、保持ストラップ４１１がチャネル部４２２内を実質的に軸線７１４に沿って移動することが可能になる。管状の細長い本体４０２を地面３００に置くと、外力４５０がバイアス部４１２に負荷されなくなり、保持ストラップ４１１が緩み、バネワイヤ４０８及び脚４１０が、展開位置をとることが可能となる。
【００２６】
一実施形態において、保持ストラップ４１１を受容するように構成されたチャネル部４２２(二点鎖線で示される)は、ゴルフバッグ４００の管状の細長い本体４０２内に形成される。外力４５０がバイアス部４１２に負荷されると、保持ストラップ４１１は、そのバイアス部４１２と実質的に垂直に係合することによって、管状の細長い本体４０２の軸線７０８に実質的に垂直な、チャネル部４２２内に画定される長手方向の軸線７１４に沿って、外力４５０の方向に同時に移動する。従って、上向きの力４５０がバイアス部４１２に負荷される場合に、チャネル部４２２内において保持ストラップ４１１が移動することによって、保持ストラップ４１１は、実質的にチャネル部４２２の長手方向の軸線７１４に沿って移動することが可能となり、従って、保持ストラップ４１１は、チャネル部４２２内における保持ストラップ４１１の移動中に、特にチャネル部４２２の角によって妨げられることを防止する。これは同様に、保持ストラップ４１１がバネワイヤ４０８をより効率的に引き込み、脚４１０を管状の細長い本体４０２に向かって内方に折り畳むことを可能にする。その理由は、バイアス部４１２が、保持ストラップ４１１にチャネル部４２２の長手方向の軸線７１４に実質的に平行する力を負荷し、それによって、保持ストラップ４１１が、チャネル部４２２の開口部の縁端に接する原因となり得る、保持ストラップ４１１が、実質的にチャネル部４２２の長手方向の軸線７１４からずれた角度で移動することを防止するためである。チャネル部４２２は、管状の細長い本体４０２の外部又は内部に形成してもよい。また、チャネル部４２２は、織物、ウェビング又は硬質プラスチック材料で作成してもよく、管状の細長い本体４０２に対して、内部又は外部に縫い付けられるか、そうでなければ、取り付けられるかのいずれかである。しかしながら、本明細書中に記載される装置、製造物品及び方法は、この点において制限されるものではない。
【００２７】
図１３〜図１７を参照すると、５００で示されるゴルフバッグの別の実施形態は、ゴルフバッグ１００、２００、３００、及び４００に類似している。この実施形態において、ゴルフバッグ５００は、管状の細長い本体５０２を含む。管状の細長い本体５０２は、中に保持ストラップ５１１を受容するように構成され、管状の細長い本体５０２が個人によって持ち上げられるか支持されると、管状の細長い本体５０２に対して、保持ストラップ５１１を案内するように動作するチャネル部５２２を画定する。チャネル部５２２は、外力５５０が第１のバイアス部５１２に、チャネル部５２２によって画定される軸線７１６(図１４)に実質的に平行な方向に負荷されると、チャネル部５２２を通じて、バイアス部５１２によって保持ストラップ５１１に負荷される張力を伝達する手段としても機能する。代替的に、ゴルフバッグ５００は、管状の細長い本体５０２の内部又は外部のいずれかに、チャネル部５２２と類似の様式で同様に保持ストラップ５１１を案内するリング、フック及び／又はバックル機構を含んでもよい。加えて、保持ストラップ５１１は、バンド、ストラップ、コード又はロープの少なくとも１つであってもよい。同様に、チャネル部５２２は、チャネル部２２２、３２２、及び４２２を構成するのに使用されるものと同じ材料で作成してもよい。
【００２８】
図１４を参照すると、ゴルフバッグ５００は、個人が管状の細長い本体５０２を持ち上げ、運ぶことを可能にするための第１のキャリーストラップ５２４も含んでよい。第１のキャリーストラップ５２４は、個人が、管状の細長い本体５０２の長手方向の軸線７１２が、面７１０(図１３)に実質的に平行になるように、第１のキャリーストラップ５２４を地面３００(図１３)から持ち上げることによって、保持ストラップ５１１に、バイアス部５１２を介して外力５５０を負荷することを可能にするバイアス部５１２に係合する管５３２を画定する。図１３に示すように、保持ストラップ５１１は、バイアス部５１２に取り付けられるか、それに一体化した第１の端部５１９と、収納機構５０８に係合する第２の端部５２０とを画定する。例えば、保持ストラップ５１１の第１の端部５１９は、バイアス部５１２に縫い付けられている。
【００２９】
保持ストラップ４１１と同様に、一実施形態において、保持ストラップ５１１の第１の端部５１９は、バイアス部５１２に垂直な向きで係合するが、保持ストラップ５１１の第２の端部５２０は、収納機構５０８、例えば、バネワイヤ５３８及び５４０(図１６)に巻かれるか、あるいは、包むように構成される。この垂直な向きにおいて、外力５５０がバイアス部５１２に負荷される場合に、バイアス部５１２が保持ストラップ５１１に張力を負荷すると、チャネル部５２２の軸線７１６は、保持ストラップ５１１が移動する方向に実質的に平行になる。
【００３０】
ゴルフバッグ４００と同様に、バイアス部５１２に対する保持ストラップ５１１の垂直な向きによって、何らかの張力が、バイアス部５１２に負荷される場合に、チャネル部５２２内における軸線７１６に沿った保持ストラップ５１１の妨げのない移動が可能となる。示されるように、個人が、キャリーストラップ５２４を地面３００から持ち上げ、ゴルフバッグ５００の脚５１０が収納位置に配置されると、軸線７１６は、細長い管状体５０２の長手方向の軸線７１２に、実質的に垂直である。バイアス部５１２は、開放されている上端部５１５の近傍に取り付けられる第１の端部を有してもよい一方で、バイアス部５１２の第２の端部は、チャネル部５２２の近傍にある固定点５４５において、管状の細長い本体５０２に取り付けられる。代替的に、ゴルフバッグ５００は、開放されている上端部５１５の近傍にも取り付けられる第１の端部を有する一方で、ストラップ部５１４の第２の端部が管状の細長い本体５０２沿いの固定点５４７において取り付けられるストラップ部５１４に係合する管５３４を画定する、第２のキャリーストラップ５２６を含んでもよい。
【００３１】
いくつかの実施形態では、第１のバイアス部５１２とストラップ部５１４は、第１のバイアス部５１２がストラップ部５１４に対して移動又はスライドすることを可能にするバックル機構(図示せず)、又は、他の手段によって相互連結してもよいが、他の実施形態においては、バイアス部５１２は、ストラップ部５１４と相互連結していない。一実施形態において、第１のキャリーストラップ５２４のみがバイアス部５１２に係合し、バイアス部５１２を介して張力を負荷するよう機能するように、第２のキャリーストラップ５２６は、バイアス部５１２に係合しない。
【００３２】
図１８を参照すると、ゴルフバッグ４００又は５００の製造方法を示すフローチャートが示される。ブロック３０００では、ゴルフバッグ４００、５００に、収納機構４０８、５０８を有する伸張可能なバッグスタンド４０４、５０４が設けられる。ブロック３００２では、バイアス部４１２、５１２が、ゴルフバッグ４００、５００の管状の細長い本体４０２、５０２に取り付けられる。ブロック３００４では、保持ストラップ４１１、５１１の第１の端部が、バイアス部４１２、５１２に垂直な向きで係合する。ブロック３００６では、チャネル部４２２、５２２を管状の細長い本体４０２、５０２に沿って形成する。ブロック３００８では、保持ストラップ４１１、５１１の一部を、チャネル部４２２、５２２内に受容する。ブロック３０１０では、保持ストラップ４１１、５１１の第２の端部を、収納機構４０８、５０８に係合する。いくつかの実施形態では、保持ストラップ４１１、５１１の第２の端部は、収納機構４０８、５０８の一部に巻かれるか、あるいは、包まれるように構成され、収納機構４０８、５０８による複数の脚４１０、５１０の収納位置への引き込み及び保持を可能とする、環状構成を有してもよい。
【００３３】
上の例で２つの脚を備えたゴルフバッグについて説明し、図で２つの脚を備えたゴルフバッグを示したかもしれないが、本明細書中に記載される装置、方法及び製造物品は、単一の脚を備えたゴルフバッグに適用可能としてもよい。代替的に、本明細書中に記載される装置、方法及び製造物品は、同様に、３つ以上の脚を備えたゴルフバッグに適用可能としてもよい。しかしながら、本明細書中に記載される装置、方法及び製造物品は、この点において制限されるものではない。
【００３４】
さらに、本明細書中に記載した保持システムを備えた伸張可能なバッグスタンドを有するゴルフバッグ及び製造するための方法は、種々の実施形態において実施してもよく、これら実施形態についての前述の説明が、必ずしもすべての可能な実施形態についての完全な説明を表すわけではない。むしろ、図面の詳細な説明及び図面自体は、保持システムを備えた伸張可能なバッグスタンドを有するゴルフバッグの少なくとも１つの好適な実施形態及びゴルフバッグを製造するための方法を開示するものであり、代替的なゴルフバッグの実施形態及び製造の方法を開示し得るものである。保持システムを備えた伸張可能なバッグスタンドを有するゴルフバッグ及び製造の方法の範囲は、添付の特許請求の範囲によって定義されるものであると意図される。
【００３５】
任意の特定の請求項において請求する全ての要素は、その特定の請求項における保持システムを備えた伸張可能なバッグスタンドを有するゴルフバッグ及び製造の方法に必須である。従って、１つ以上の請求した要素の交換は再構成であり、修復ではない。さらに、特定の実施形態に関する利点、他の恩恵及び問題の解決策を説明した。あらゆる利点、恩恵又は解決策を生じさせ得る、又はそれらがより顕著にしうる利点、恩恵、問題の解決策及びあらゆる一つ又は複数の要素は、しかしながら、いずれか又は全ての請求項に重要、必要、又は、必須の特徴又は要素であると解釈されるべきではない。
【００３６】
また、実施形態及び／又は限定が、（１）請求項で明示的に請求されていない、及び（２）均等論に基づいて、請求項中の明示的な要素及び／又は限定の等価物である、又は等価物である可能性があるものであれば、本明細書中に開示した実施形態及び限定は、公衆寄与論の下に公衆に寄与されるものではない。
【図１】
2013039376.tif 000003
【図２】
2013039376.tif 000004
【図３】
2013039376.tif 000005
【図４】
2013039376.tif 000006
【図５】
2013039376.tif 000007
【図６】
2013039376.tif 000008
【図７】
2013039376.tif 000009
【図８】
2013039376.tif 000010
【図９】
2013039376.tif 000011
【図１０】
2013039376.tif 000012
【図１１】
2013039376.tif 000013
【図１２】
2013039376.tif 000014
【図１３】
2013039376.tif 000015
【図１４】
2013039376.tif 000016
【図１５】
2013039376.tif 000017
【図１６】
2013039376.tif 000018
【図１７】
2013039376.tif 000019
【図１８】
2013039376.tif 000020
【図１９】
2013039376.tif 000021
【外国語明細書】
2013039376000001.pdf
2013039376000002.pdf
2013039376000003.pdf
2013039376000004.pdf